(57)【要約】【課題】衛生洗浄装置の汚染の抑制と清掃性を向上すること。【解決手段】機能部材を内蔵する本体２００と操作部２１０と便座３００と便蓋４００とを含み、本体ケース２２０は本体ケース２２０の背面の全体と両側面と上面と底面の一部を形成する後本体ケース２３０と、本体ケース２２０の前面の全体と両側面と上面と底面の一部を形成する前本体ケース２４０とを備え、後本体ケース２３０と前本体ケース２４０は、外周に設けた接合溝２３１と接合リブ２４４とを嵌合させて接合する構成とし、後本体ケース２３０と前本体ケース２４０が接合された状態においた、後本体ケース２３０と前本体ケース２４０の接合部の下面は略同一面となる構成とすることにより、接合部への汚物の堆積を抑制し、清潔性を向上することができるとともに、本体ケースの下面の清掃性を向上することが可能となり、衛生的で使い勝手の良い衛生洗浄装置を提供することができる。【選択図】図７
2020007856.tif 000002
【特許請求の範囲】
【請求項１】
便器上に設置され、機能部材を内蔵する本体と、
前記本体に回動自在に設けられた便座と、を含み、
前記本体は、外装を構成する本体ケースを備え、
前記本体ケースは、前記本体ケースの背面の全体と、両側面と上面と底面の一部を形成する後本体ケースと、前記本体ケースの前面の全体と、両側面と上面と底面の一部を形成する前本体ケースと、を備え、
前記後本体ケースと前記前本体ケースは、外周に設けた接合溝と接合リブとを嵌合させて接合する構成とし、
前記後本体ケースと前記前本体ケースが接合された状態において、前記後本体ケースと前記前本体ケースの接合部の下面は略同一面となることを特徴とする、
衛生洗浄装置。
【請求項２】
前記後本体ケースと前記前本体ケースが接合された状態において、前記後本体ケースと前記前本体ケースの外周縁は密接することを特徴とする、
請求項１に記載の衛生洗浄装置。
【発明の詳細な説明】
【技術分野】
【０００１】
本発明は、人体局部を洗浄する衛生洗浄装置の本体の外装構造に関するものである。
【背景技術】
【０００２】
従来、この種の衛生洗浄装置の機能部材を内蔵する本体ケースは、本体ケースの背面の全体と、両側面と上面と底面の一部を形成する後本体ケースと、本体ケースの前面の全体と、両側面と上面と底面の一部を形成する前本体ケースとを備え、本体ケースの底面部は後本体ケースと前本体ケースとを上下に重ね合わせて結合される構成となっている。（例えば、特許文献１参照）。
【０００３】
図１０は、特許文献１に記載された従来の衛生洗浄装置を示すものである。図８に示すように、前本体ケース１の底面の後端部の上に後本体ケース２の前端部を上下に重ね合わせた状態で固定されている。
【先行技術文献】
【特許文献】
【０００４】
【特許文献１】特許第５５９０２７３号公報
【発明の概要】
【発明が解決しようとする課題】
【０００５】
しかしながら、前記従来の構成では、衛生洗浄装置の本体ケースの底面には、前ケースと後ケースの接合部に段差が形成されており、段差部分に汚れが付着しやすく、また清掃作業が実施し難いため、衛生面および使い勝手の観点から未だ改良の余地があった。
【０００６】
本発明は、前記従来の課題を解決するもので、本体ケースの底面の段差をなくすことによって、汚れが付着し難く、かつ清掃作業を実施しやすくすることにより、衛生的で使い勝手の良い衛生洗浄装置を提供することを目的とする。
【課題を解決するための手段】
【０００７】
前記従来の課題を解決するために、本発明の衛生洗浄装置は、便器上に設置され、機能部材を内蔵する本体と、本体に回動自在に設けられた便座とを含み、本体は、外装を構成する本体ケースを備え、本体ケースは、本体ケースの背面の全体と両側面と上面と底面の一部を形成する本体ケースと、本体ケースの前面の全体と両側面と上面と底面の一部を形成する前本体ケースと、を備え、後本体ケースと前本体ケースは、外周に設けた接合溝と接合リブとを嵌合させて接合する構成とし、後本体ケースと前本体ケースが接合された状態において、後本体ケースと前本体ケースの接合部の下面は、略同一面となることを特徴とするものである。
【０００８】
これにより、接合部への汚物の堆積を抑制し、清潔性を向上することができるとともに、本体ケースの下面の清掃性を向上することが可能となり、衛生的で使い勝手の良い衛生洗浄装置を提供することができる。
【発明の効果】
【０００９】
本発明の衛生洗浄装置は、汚染の抑制と清掃性を向上することができる。
【図面の簡単な説明】
【００１０】
【図１】本発明の実施の形態１における衛生洗浄装置を便器に設置した状態の斜視図
【図２】同衛生洗浄装置の本体の前本体ケースを取り外した状態の斜視図
【図３】同衛生洗浄装置の本体ケースの下面図
【図４】同衛生洗浄装置の後本体ケースの断面図
【図５】図４に示すＡ部の詳細を示す断面図
【図６】同衛生洗浄装置の前本体ケースの断面図
【図７】図６に示すＢ部の詳細を示す断面図
【図８】同衛生洗浄装置の本体ケースの組立状態を示す断面図
【図９】図６に示すＣ部の詳細を示す断面図
【図１０】従来の衛生洗浄装置の本体ケースの断面図
【発明を実施するための形態】
【００１１】
第１の発明は、便器上に設置され、機能部材を内蔵する本体と、前記本体に回動自在に設けられた便座と、を含み、前記本体は、外装を構成する本体ケースを備え、前記本体ケースは、前記本体ケースの背面の全体と、両側面と上面と底面の一部を形成する後本体ケースと、前記本体ケースの前面の全体と、両側面と上面と底面の一部を形成する前本体ケースと、を備え、前記後本体ケースと前記前本体ケースは、外周に設けた接合溝と接合リブとを嵌合させて接合する構成とし、前記後本体ケースと前記前本体ケースが接合された状態において、前記後本体ケースと前記前本体ケースの接合部の下面は、略同一面となることを特徴とする衛生洗浄装置である。
【００１２】
これにより、接合部への汚物の堆積を抑制し、清潔性を向上することができるとともに、本体ケースの下面の清掃性を向上することが可能となり、衛生的で使い勝手の良い衛生洗浄装置を提供することができる。
【００１３】
第２の発明は、特に、第１の発明において、前記後本体ケースと前記前本体ケースが接合された状態において、前記後本体ケースと前記前本体ケースの外周縁は、密接することを特徴とするものである。
【００１４】
これにより、接合部は高い防水性能を備えることができるとともに、接合部への汚物の堆積を抑制することができ、清潔性をより向上することができる。
【００１５】
以下、本発明の実施の形態について、図面を参照しながら説明する。なお、この実施の形態によって本発明が限定されるものではない。
【００１６】
（実施の形態１）
図１は、本実施の形態における衛生洗浄装置を便器上に設置した状態の外観の斜視図を示すものであり、図２は、衛生洗浄装置の本体の前ケースを取り外した状態を示す斜視図である。
【００１７】
＜１＞衛生洗浄装置の構成
図１に示すように、衛生洗浄装置１００は、本体２００、便座３００、便蓋４００により構成され、便器１１０の上面に設置される。
【００１８】
なお、本実施の形態においては、衛生洗浄装置１００の本体２００の設置側を後方、便座３００の設置側を前方とし、前方に向かって右側を右側、後方に向かって左側を左側として各構成要素の配置を説明する。
【００１９】
本体２００には、便座３００および便蓋４００が回動機構を介して開閉可能に取り付けられている。図１に示すように、便蓋４００を開放した状態においては、便蓋４００は、衛生洗浄装置１００の最後部に位置するように起立し、便蓋４００を閉蓋した状態では、
便座３００の上面と本体２００の一部を隠蔽する。便座３００は、図１に示すように便器１１０の上面に載置された状態から、便蓋４００と同様に本体の前面部に起立する。
【００２０】
また、便座３００の回動軸を支持する軸受部分には、便座３００に着座した人体を検知する着座検知スイッチ（図示せず）が設置されている。着座検知スイッチは、便座３００に使用者が着座することによる重量変化でスイッチを開閉させることにより、便座３００上に使用者が着座していることを検知するものである。
【００２１】
本体２００には、洗浄水供給機構（図示せず）、熱交換器（図示せず）、洗浄ノズル２０１等からなる洗浄機構と、便器１１０の内面に泡をコートする泡発生機構（図示せず）と、乾燥ユニット（図示せず）と、脱臭機構（図示せず）と、制御部（図示せず）等が内蔵されている。
【００２２】
浄水供給機構と熱交換器は、洗浄ノズル２０１に接続されており、水道配管から供給される洗浄水を熱交換器で加熱することにより温水を洗浄ノズル２０１に供給し、洗浄ノズル２０１から使用者の局部に向けて洗浄水を噴出し、使用者の局部を洗浄するものである。洗浄ノズル２０１は、お尻を洗浄するお尻洗浄ノズル部と、女性の局部を洗浄するビデノズル部を備えている。
【００２３】
泡発生機構は、洗剤を泡立てて便器１１０の内面に向けて噴出し、便器１１０の内面の広い範囲に泡でコートすることにより、便器１１０の洗浄効果を高めるとともに、汚染を抑制することができる。
【００２４】
また、乾燥ユニットは、洗浄水により濡れた局部に向けて温風を噴出し、局部を乾燥することができる。
【００２５】
また、脱臭機構は、用便中に発生する臭気を便器１１０内から収集し、触媒機能を備えたフィルターで消臭するものである。
【００２６】
本体２００の右側部には、前方に突出するように袖部２１０が設けられており、袖部２１０の上面には、操作部２１１が設けてあり、操作部２１１には、衛生洗浄装置１００の各機能を操作する複数の操作スイッチ２１２と表示灯２１３が設置されている。
【００２７】
また、袖部２１０の前部には、泡発生機構で使用する洗剤を収容する洗剤タンク収容部２１４が設置されている。
【００２８】
なお、泡発生機構と乾燥ユニットと脱臭機構は、衛生洗浄装置１００の必須構成要素ではなく、これらの構成要素を具備しない衛生洗浄装置１００でもよい。
【００２９】
＜２＞衛生洗浄装置の本体の外装の構成
図２は、衛生洗浄装置の本体の前本体ケースを取り外した状態の斜視図、図３は、本体ケースの下面図、図４は、後本体ケースの断面図、図５は、図４のＡ部で示す接合溝の詳細断面図、図６は、前本体ケースの断面図、図７は、図６のＢ部で示す接合リブの詳細断面図、図８は、本体ケースの組立状態を示す断面図、図９は、図６のＣ部で示す接合部の詳細断面図である。
【００３０】
図２および図８に示すように、衛生洗浄装置１００の本体２００の外装である本体ケース２２０は、後本体ケース２３０と前本体ケース２４０で構成されている。
【００３１】
後本体ケース２３０と前本体ケース２４０は、いずれも樹脂材料で成型されたものであ
り、後本体ケース２３０と前本体ケース２４０は、前後方向において略全周を接合できる構成となっている。
【００３２】
図２に示すように、後本体ケース２３０は、本体ケース２２０の背面の全体と、両側面と上面と底面との一部を構成するように形成されている。
【００３３】
後本体ケース２３０は、本体２００のメインの躯体となる部材であり、後本体ケース２３０には、衛生洗浄装置１００の全ての機能部材を設置できるように形成されている。また、後本体ケース２３０には、袖部２１０も取り付けられている。
【００３４】
図２に示すように、前本体ケース２４０は、後本体ケース２３０の前面の開口部の略全面を閉塞するものであり、本体ケース２２０の前面の全体と、両側面と上面と底面との一部を構成するように形成されている。
【００３５】
図４に示すように、後本体ケース２３０の底面部の前端部には、接合溝２３１が連続して成型されている。図５に示すように、後本体ケース２３０の接合溝２３１は、断面形状が略台形に成型されている。
【００３６】
特に、接合溝２３１の縁に該当する下側の前端部は下面２３３まで垂直に成型された後外周縁２３２が形成されている。
【００３７】
図６に示すように、前本体ケース２４０の前面と底面のコーナ部２４１は、曲面に形成されており、この部分は、用便により汚染されやすい部分であり、コーナ部２４１を曲面に形成することによって、汚染物が堆積し難くするとともに清掃しやすい構成となっている。
【００３８】
図３に示すように、コーナ部２４１の中央には、洗浄ノズル２０１が進退する洗浄ノズル開口２４２と、泡発生機構の泡を吐出する泡ノズルが進退する泡ノズル開口２４３が形成されている。
【００３９】
図６に示すように、前本体ケース２４０の底面部の前端部には、接合リブ２４４が連続して成型されている。図７に示すように、前本体ケース２４０の接合リブ２４４は、断面形状が略台形に成型されている。接合リブ２４４の高さは、後本体ケース２３０の接合溝２３１の深さより小さい寸法に形成されている。
【００４０】
また、接合リブ２４４の下側の元の部分には、下面２４６まで垂直に成型された前外周縁２４５が形成されている。接合リブ２４４の上側は、底面部の上面まで連続して傾斜面が形成されている。前外周縁２４５の高さは、後本体ケース２３０の後外周縁２３２の高さと同寸法に形成されている。
【００４１】
図８に示すように、後本体ケース２３０と前本体ケース２４０を結合した状態では、後本体ケース２３０の接合溝２３１に前本体ケース２４０の接合リブ２４４が嵌入された状態で結合される。
【００４２】
図９は、後本体ケース２３０と前本体ケース２４０との底面部の接合部の詳細を示す断面図である。
【００４３】
図９に示すように、後本体ケース２３０の接合溝２３１に前本体ケース２４０の接合リブ２４４が嵌入された状態においては、接合溝２３１の底面２３１ａと接合リブ２４４の先端面２４４ａとの間には、僅かな間隙が形成されており、後本体ケース２３０の後外周
縁２３２と前本体ケース２４０の前外周縁２４５が確実に密接する構成となっている。
【００４４】
特に、前本体ケース２４０の前外周縁２４５は、接合リブ２４４の下側にのみ形成したことにより、接合リブ２４４が接合溝２３１に十分嵌入できるため、後外周縁２３２と前外周縁２４５を確実に密接させることができる構成となっている。
【００４５】
また、後本体ケース２３０の後外周縁２３２の高さと前本体ケース２４０の前外周縁２４５の高さは、同寸法に形成されているため、後本体ケース２３０の下面２３３と前本体ケース２４０の下面２４６とは略同一面となる構成となっている。
【００４６】
上記のように、前本体ケース２４０の前面と底面とのコーナ部２４１に曲面を形成したことにより、汚物の堆積を抑制するともに、清掃しやすい構成となっている。
【００４７】
また、後本体ケース２３０の後外周縁２３２と前本体ケース２４０の前外周縁２４５が確実に密接する構成としたことにより、接合部は、高い防水性能を備えることができるとともに、接合部への汚物の堆積を抑制することができ、清潔性を向上することができる。
【００４８】
また、後本体ケース２３０の下面２３３と前本体ケース２４０の下面２４６とを略同一面となる構成としたことにより、接合部への汚物の堆積を抑制し、清潔性を向上することができるとともに、本体ケース２２０の下面の清掃を容易に実施することが可能となり、清掃性を向上することができ、使い勝手を向上することができる。
【産業上の利用可能性】
【００４９】
以上のように、本発明にかかる衛生洗浄装置の本体ケースは防水性と清潔性を向上することが可能となるので、他の家電機器等における外装ケース等の用途にも適用できる。
【符号の説明】
【００５０】
１００  衛生洗浄装置
１１０  便器
２００  本体
２２０  本体ケース
２３０  後本体ケース
２３１  接合溝
２３２  後外周縁（外周縁）
２３３  下面
２４０  前本体ケース
２４４  接合リブ
２４５  前外周縁（外周縁）
２４６  下面
３００  便座
４００  便蓋
【図１】
2020007856.tif 000003
【図２】
2020007856.tif 000004
【図３】
2020007856.tif 000005
【図４】
2020007856.tif 000006
【図５】
2020007856.tif 000007
【図６】
2020007856.tif 000008
【図７】
2020007856.tif 000009
【図８】
2020007856.tif 000010
【図９】
2020007856.tif 000011
【図１０】
2020007856.tif 000012